(57)【特許請求の範囲】
【請求項１】
２個の乾電池を直列に装着する湯沸器の乾電池ケースにおいて、
ケース本体の下面にのみ形成された開口に直交方向に開閉する２つの片開き状の蓋体を一体に備えたことを特徴とする湯沸器の乾電池ケース。
【請求項２】
上記２つの蓋体はケース本体と他の構成部分とともに樹脂で一体成形されている請求項１記載の湯沸器の乾電池ケース。
【請求項３】
上記２つの蓋体はその接合部において一方の蓋体の接合端部が他方の蓋体の位置決めストッパーに形成されている請求項１記載の湯沸器の乾電池ケース。
【請求項４】
２つの蓋体は閉塞時にケース本体の下面開口端面より露出しないように形成されている請求項１または２記載の湯沸器の乾電池ケース。
【発明の詳細な説明】
【０００１】
【発明の属する技術分野】
この発明は、湯沸器の乾電池ケースに関する。
【０００２】
【従来の技術】
近年、５号程度の小型湯沸器にあっても薄型のものが主流となっており、したがって、その乾電池ケースは器体の下部一側に若干下方へ露出させて設けられ、湯沸器の薄型に対処でき、かつ、乾電池の取り替え等にも便利なようにしている。
そこで、従来のこの種の乾電池ケースとしては、たとえば、図９及び図１０に示されているように、２分割構成となっているもの（図９参照）と一体成形となっているもの（図１０参照）などがある。
【０００３】
【発明が解決しようとする課題】
しかしながら、上記２分割構成の乾電池ケースは、上下２つの構成部品Ｂ′、Ｂ″でケース本体１′が形成されているため、部品コスト及び組立てコストが高くなるという問題点があった。なお、２′は開口を示す。
また、上記一体成形の乾電池ケースは、ケース本体１′の下面全体に開口２′を設け、この開口２′にケース本体１′と同一幅の１つの蓋体３′を設けているから、特に、乾電池交換時に片方の乾電池を片手で押えながらもう一方の乾電池を他方の手で脱着しないと片方の乾電池が落下してしまうという問題点があり、取扱い上不便なものであった。
【０００４】
この発明の湯沸器の乾電池ケースは上記課題を解決し、製作コストが安く、乾電池の出し入れも容易、かつ、安全に行え、併せて、ケース内の乾電池にドレンの影響を与えず、外観上の体裁もよくした湯沸器の乾電池ケースの提供を目的としている。
【０００５】
【課題を解決するための手段】
上記課題を解決するこの発明の請求項１の湯沸器の乾電池ケースは、
２個の乾電池を直列に装着する湯沸器の乾電池ケースにおいて、
ケース本体の下面にのみ形成された開口に直交方向に開閉する２つの片開き状の蓋体を一体に備えたことを要旨とする。
【０００６】
上記課題を解決するこの発明の請求項２の湯沸器の乾電池ケースは、
上記請求項１の２つの蓋体はケース本体と他の構成部分とともに樹脂で一体成形されていることを要旨とする。
【０００７】
上記課題を解決するこの発明の請求項３の湯沸器の乾電池ケースは、
上記請求項１の２つの蓋体はその接合部において一方の蓋体の接合端部が他方の蓋体の位置決めストッパーに形成されていることを要旨とする。
【０００８】
上記課題を解決するこの発明の請求項４の湯沸器の乾電池ケースは、
上記請求項１または２における２つの蓋体は閉塞時にケース本体の下面開口端面より露出しないように形成されていることを要旨とする。
【０００９】
上記構成を有するこの発明の請求項１の湯沸器の乾電池ケースは、ケース本体の下面開口を直交方向に開閉する２つの片開き状の蓋体で開閉する構成としたから、２つの蓋体が同時に開閉することはない。この結果、乾電池の交換時等において一方の蓋体を開いても他方の蓋体は未だ閉塞状態にあるため、一方の乾電池を取り外しても他方の乾電池がこれに連れて落下することはない。
また、２つの蓋体は直交方向に開閉するため、それぞれのヒンジ部を器具後面、側面に持ち、そのため外観にヒンジ部が現れる事がなく、外観上の体裁を害することがない。
【００１０】
上記構成を有するこの発明の請求項２の湯沸器の乾電池ケースは、ケース本体と２つの蓋体とは各々のヒンジ部その他の構成部品とともに樹脂で一体成形されている。この結果、均一な製品の量産が可能となる。
【００１１】
上記構成を有するこの発明の請求項３の湯沸器の乾電池ケースは、２つの蓋体のうちの一方の蓋体の接合端部が他方の蓋体の位置決めストッパーとなっている。この結果、直交方向に開閉する２つの蓋体は確実に位置決め閉塞され、かつ、同時に開放されることはない。
【００１２】
上記構成を有するこの発明の請求項４の湯沸器の乾電池ケースは、ケース本体に対し２つの蓋体はその閉塞時においてケース本体内に隠れてしまう。この結果、閉塞時の蓋体が外部に露出することはない。
【００１３】
【発明の実施の形態】
以上説明したこの発明の構成、作用を一層明らかにするために、以下にこの発明の湯沸器の乾電池ケースの好適な実施の形態の一例について図面を参照して説明する。
【００１４】
図１〜図３はこの発明の乾電池ケースを小型の元止式湯沸器に適用した一例であって、器体Ａの一側下部に乾電池ケースＢを若干下方へ露出して取付け設置している。そして、この乾電池ケースＢの上部に電装基板Ｃを備えて湯沸かし機能部を乾電池を電源として電気的に作動するようになしている。
【００１５】
上記乾電池ケースＢは、たとえば、図４〜図８に示されているように、その主要部は２個の乾電池Ｅが直列に装着でき、下面全体が開口２された断面蒲鉾型の横長状のケース本体１と、該ケース本体１の下面開口２に備えられた直交方向に開閉する２つの片開き状の蓋体３、４とで構成されている。
【００１６】
詳しくは、ケース本体１の下面開口２の一側（図示左側）に乾電池１個の長さより長い横幅を有し、その中心前端に把手５を一体に備えた一方の蓋体３が後端の薄肉ヒンジ部６を支点として前後方向へ片開き状に開閉できるように備えられ、残りの他側開口（図示右側）には外端の薄肉ヒンジ部７を支点として左右方向へ片開き状に開閉できる他方の蓋体４が備えられ、上記２つの蓋体３、４は直交方向に各別に開閉できるようにケース本体１とは薄肉ヒンジ部６、７で一体に連結されている（図８参照）。
【００１７】
上記２つの蓋体３、４はともに蓋体３、４に備えた係止凸片８、９が閉塞時にケース本体１に備えた係止凹部１０、１１にその復元力によつて圧入係止され蓋体３、４がみだりに開放することのないように保持される。そして、開放時には一方の蓋体３の外方へ突出している把手５を強く下方へ引張ることにより上記係止凸片８と係止凹部１０の係止がその復元力に抗して外れ容易に開放できるようになっている。
【００１８】
また、上記２つの蓋体３、４の接合部は、他方の蓋体４の内端に備えた係合段部１２に一方の蓋体３の内側に備えた係合片１３が閉塞時に係合されて他方の蓋体４の係合段部１２が一方の蓋体３の位置決めストッパーとなるように形成されており、上記２つの蓋体３、４は閉塞時にケース本体１の下面開口端面より内方に位置して２つの蓋体３、４がケース本体１から露出しないように形成されている。
【００１９】
なお、図中１４は取付け座で、ケース本体１の後部一側に設けられている。１５は電装基板Ｃの支持部を兼ねた補強凸部で、ケース本体１の前面下部に設けられている。また、１６は乾電池Ｅのプラス側接触端子１７を支持する端子支持部で、ケース本体１の一側内部（図示左端部）に設けられ、１８は乾電池Ｅのマイナス側接触端子１９を支持する端子支持部で、ケース本体１の他側内部（図示右端部）に設けられている。
【００２０】
上記構成の乾電池ケースは、ケース本体１の下面にのみ開口２が形成され、該ケース本体１、２つの蓋体３、４、把手５、薄肉ヒンジ部６、７、係止凸片８、９、係止凹部１０、１１及び係合段部１２、係合片１３、端子支持部１６、１８などの構成部分は樹脂で一体成形されている。
【００２１】
上記器体Ａはバックカバー２０内にメインバーナ２１、熱交換器２２、点滅器２３、操作ボタン２４、給水接続口２５、ガス入口２６、出湯口２７に接続された先端にキッチンシャワー２８を備えたフレキシブル出湯管２９、給水制御及びガス制御機構、電磁安全弁（図示せず）、フレームロッドＦＲ、点火ロッド３０等の湯沸かし機能部を備えた構成となっており、この器体Ａの前面にはフロントカバー３１が脱着可能に備えられ、全体として薄型に形成されている（図１〜図３参照）。
【００２２】
以上この発明の実施の形態の一例について説明したが、この発明はこうした実施の形態に何等限定されるものではなく、この発明の要旨を逸脱しない範囲において種々なる形態で実施しうること勿論である。
【００２３】
【発明の効果】
この発明の湯沸器の乾電池ケースは以上説明したような形態で実施され、以下に記載されるような効果を奏する。
【００２４】
この発明の請求項１の湯沸器の乾電池ケースによれば、ケース本体の下面開口を直交方向に開閉する２つの片開き状の蓋体で開閉するから、乾電池の交換時等において一方の蓋体を開いても他方の蓋体は未だ閉塞状態にあるため、一方の乾電池を取り外しても他方の乾電池がこれに連れて落下することはなく、乾電池の出し入れが容易、かつ、安全に行える。
また、ケース本体の下面にのみ開口が形成されているから、ケース内の乾電池等にドレンによる悪影響を与えることはなく安全である。
【００２５】
この発明の請求項２の湯沸器の乾電池ケースによれば、ケース本体と２つの蓋体とは各々のヒンジを含む他の構成部品とともに樹脂で一体成形されているから、均一な製品の量産が可能となり、コスト安に製作できる。
【００２６】
この発明の請求項３の湯沸器の乾電池ケースによれば、２つの蓋体のうちの一方の蓋体の接合部に他方の蓋体の位置決めストッパー部を備えたから、直交方向に開閉する２つの蓋体の閉塞時の位置決めが確実に行われるとともに、同時に開放されることはなく安全である。
【００２７】
この発明の請求項４の湯沸器の乾電池ケースによれば、ケース本体に対し２つの蓋体はその閉塞時においてケース本体内に隠れてしまうから、蓋体が外部に露出することがないために乾電池ケースが器体の一側下部に若干露出して設置されるも外観上の体裁を害することはない。
【図面の簡単な説明】
【図１】この発明の乾電池ケースを設置した湯沸器の一例を示した全体正面図である。
【図２】その仰視図である。
【図３】フロントカバーを取り外した器体の正面図である。
【図４】乾電池ケースだけの上方から見た斜視図である。
【図５】乾電池ケースだけの下方から見た斜視図である。
【図６】乾電池ケースだけの縦断正面図である。
【図７】同縦断側面図である。
【図８】ケース本体に対し蓋体を開いた状態の下方から見たケースだけの斜視図である。
【図９】従来の乾電池ケースの一例を示した上方から見た斜視図である。
【図１０】異なる従来例の同斜視図である。
【符号の説明】
Ｂ…乾電池ケース
１…ケース本体
２…下面開口
３…蓋体
４…蓋体
１２…係合段部
【図１】
0004132218.tif 000002
【図２】
0004132218.tif 000003
【図３】
0004132218.tif 000004
【図４】
0004132218.tif 000005
【図５】
0004132218.tif 000006
【図６】
0004132218.tif 000007
【図７】
0004132218.tif 000008
【図８】
0004132218.tif 000009
【図９】
0004132218.tif 000010
【図１０】
0004132218.tif 000011